(57)【特許請求の範囲】
【請求項１】
折戸の竪框の先端部に装着する筒状のハウジングと、支軸材と、軸部材と、圧縮ばねと、一対の操作片とを備えてなり、
ハウジングには、竪框の先端部両面の平行壁に形成された長孔に対応する一対の長孔を設けてあり、
支軸材はハウジングに対し上下方向に摺動自在に収納した支軸材本体部を備え、
支軸材本体部の側面には一定範囲の角度に亘って凹部を設けてあり、
軸部材はハウジングに対し軸方向に摺動自在に収納した円筒部と、円筒部の一端面に形成して枠材に設けたレール部に係合する係合部と、円筒部の他端面に突出して付設した係合片とを備え、
軸部材の円筒部の他端面が支軸材に当接するとともに係合片が支軸材の凹部に係合し、ハウジングの円筒部内で軸部材を支軸材に対し一定範囲の角度で回動可能としてあり、
圧縮ばねはハウジングの底部と支軸材の底壁との間に配置して支軸材を軸部材側に付勢するものであり、
操作片は竪框及びハウジング双方に形成した長孔を介し支軸材の両側面に装着してあり、
竪框の両面に露出する各操作片の操作部により、圧縮ばねに抗して軸部材を軸方向に移動操作可能に構成したことを特徴とする折戸用ヒンジ。
【発明の詳細な説明】
【０００１】
【産業上の利用分野】
本発明は、緊急時等において、室内側、室外側のいずれの側からも折戸を簡単に取外し可能とするための折戸用ヒンジに関する。
【０００２】
【従来の技術】
浴室の扉は、室内において入浴者が倒れた場合などの不測の事故に備え、室内側に対してのみならず、室外側に対しても解放可能にすることが好ましく、それを実現するための先願技術として特開平６−１８５２６５号記載の技術が提案されている。この扉は、ヒンジを介して扉枠が上下に移動可能となっており、扉枠の竪枠及び上枠に付設する戸当りは、室外側から取り外し可能となっている。即ち、扉は戸当りを外した後、扉の下端が下枠の戸当りのレベルより上となるように全体を上方に持ち上げることにより、室外側に開放し不測の事態に対処することができる。
【０００３】
【発明が解決しようとする課題】
このような従来技術によるときには、扉は扉枠に付設する戸当りを取り外した後でなければ室外側に開放することができず、戸当りの取外し操作が複雑であり、実用性には乏しいという問題があった。何故なら、戸当りの取外し操作は日常全く行われない例外的な操作であるから、この場合複雑な操作を必要とすると緊急の場合に正しく実行することが困難であるからである。
【０００４】
そこで、本件出願人は浴室等に室内外から比較的容易に取り外しができる扉用ヒンジ及び浴室用扉として特願平６−２３８７２８号を提案した。しかしながら、この提案はあくまで扉用のヒンジに関するものであり、浴室等に多用される二枚折戸では、上記提案は十分満足できるものとは言いがたい。何故なら、折戸はヒンジの軸、即ちピボットが上下の案内レール上を走行する場合が多い関係上、ピボットが案内レールと係合している場合が多く、ピボットが折戸の框に対して上記提案のように出没自在のみならず、折戸本体に対して回転自在である必要があるからである。
【０００５】
したがって、本発明はこの課題を解決するためになされたものであり、本発明の課題は、レール上をヒンジの軸が係合して開閉される折戸用のヒンジであっても、ヒンジの係合を開放するための操作片を竪框の両面に配設することによって、室内側、室外側のいずれの側からも極めて簡単に折戸を取り外し、不測の事態に対処することができる折戸用ヒンジを提供することにある。
【０００６】
【課題を解決するための手段】
この課題を達成する手段として、請求項１記載の発明は、
折戸の竪框の先端部に装着する筒状のハウジングと、支軸材と、軸部材と、圧縮ばねと、一対の操作片とを備えてなり、
ハウジングには、竪框の先端部両面の平行壁に形成された長孔に対応する一対の長孔を設けてあり、
支軸材はハウジングに対し上下方向に摺動自在に収納した支軸材本体部を備え、
支軸材本体部の側面には一定範囲の角度に亘って凹部を設けてあり、
軸部材はハウジングに対し軸方向に摺動自在に収納した円筒部と、円筒部の一端面に形成して枠材に設けたレール部に係合する係合部と、円筒部の他端面に突出して付設した係合片とを備え、
軸部材の円筒部の他端面が支軸材に当接するとともに係合片が支軸材の凹部に係合し、ハウジングの円筒部内で軸部材を支軸材に対し一定範囲の角度で回動可能としてあり、
圧縮ばねはハウジングの底部と支軸材の底壁との間に配置して支軸材を軸部材側に付勢するものであり、
操作片は竪框及びハウジング双方に形成した長孔を介し支軸材の両側面に装着してあり、
竪框の両面に露出する各操作片の操作部により、圧縮ばねに抗して軸部材を軸方向に移動操作可能の構成としたことを特徴とする。
【００１０】
【発明の実施の形態】
以下、図面により実施例を説明する。本発明の折戸用ヒンジの一例としての浴室用折戸は、図２及び図３に示すように、折戸枠１０と折戸２０とを組み合わせて構成されている。折戸枠１０は、アルミ合金等の押出形材からなる左右の竪枠１１、１１と、上枠１２、下枠１３とを枠形に連結した枠体で構成され、折戸２０は、二枚の折戸単体２０ａ、２０ｂから構成されている。これらの二枚の折戸単体２０ａ、２０ｂは、丁番２０ｃ、２０ｃにより折曲げ自在に連結されて折戸２０を構成している。
【００１１】
折戸枠１０の竪枠１１、１１は、躯体側の開口部の左右に躯体と一体に設けられ、左右両竪枠１１、１１は同一断面形状に形成されている。また、上枠１２と下枠１３も同一断面形状に形成されている。
【００１２】
各左右上下枠１１、１１、１２、１３の戸当り壁、例えば上枠１２の戸当り壁１２ａには戸当りパッキング１４がはめ込んである。戸当りパッキング１４は折戸枠１０の折戸２０が当接する部分全周にわたって連続するものとする。各折戸単体２０ａ、２０ｂは、図２及び図３に示すように、左右の竪框２１、２２、上框２３、下框２４を枠形に連結するとともに、内部にパネル材２５を嵌め込んで形成されている。折戸２０は、折戸用ヒンジ３０、３０を介し折戸枠１０に対して回転自在に組み付けられている。
【００１３】
折戸用ヒンジ３０側の竪框２１は、図３〜６に示すように、外側壁２１ａに対して連続し室内外に位置する平行壁２１ｂ、２１ｂを内向きに突設し、断面略コ字状に形成している。ただし、両平行壁２１ｂ、２１ｂが連続する外側の隅角部は、図３及び図４に示すように円弧状に形成されており、平行壁２１ｂ、２１ｂの内側先端部には、パネル材２５を取り付けるために、支持リブ２１ｃ、２１ｃが対向して形成されている。平行壁２１ｂ、２１ｂは枠壁２１ｄを介して連結されており、外側壁２１ａ、平行壁２１ｂとともに折戸用ヒンジ３０のハウジング３１を装着するための収納部２１ｅを形成している。
【００１４】
反ヒンジ側の竪框２２は基本的にはヒンジ側の竪框２１と同様の構成であり、図２に示すように開閉用のハンドル２７が装着されている。上框２３と下框２４とは同一断面形状に形成され、上框２３は、一対の外向きリブ２３ｂ、２３ｂを有する外側壁２３ａを室外側に形成してなる。下框２４についての上下に対称位置ではあるものの同一形状であるので説明を省略する。
【００１５】
パネル材２５は、竪框２１の支持リブ２１ｃ、２１ｃ、竪框２２の支持リブ、及び上框２３の支持リブ２３ｂ、補助框２６等を介して取り付けられている。なお、パネル材２５の四周にはパッキングが連続して配設されている。折戸用ヒンジ３０は、図４、６に示すようにヒンジ側の竪框２１の上下の両端に装着されおり（下端の折戸用ヒンジは図外）、各折戸用ヒンジ３０は竪框２１の先端部に装着するハウジング３１と、圧縮ばね３２と、支軸材３３と、軸部材３５と、一対の操作片３４、３４とを組み合わせてなる。
【００１６】
ハウジング３１は、図５に示すように竪框２１の上端又は上下端のそれぞれの収納部に適合する本体部３１ａに対し、延設片３１ｂを突設して形成されている。本体部３１ａには、長孔３１ｃ、３１ｃが形成されている。ハウジング３１は、本体部３１ａを竪框２１の収納部２１ｅに挿入するようにして竪框２１の先端部に装着されている。ハウジング３１は全体として筒状に形成され、その内面は円筒の筒状に形成され底部３１ｄが２段に形成されていると共に中心位置に丸孔３１ｅが穿設されている。
【００１７】
ハウジング３１の延設片３１ｂは、竪框２１の外側壁２１ａ、平行壁２１ｂ、２１ｂ、枠壁２１ｄによって囲まれる竪框２１の端面を閉じるものとする。竪框２１の先端部両面の平行壁２１ｂ、２１ｂには、本体部３１ａの長孔３１ｃ、３１ｃに対応して長孔２１ｆ、２１ｆが形成されている。
【００１８】
支軸材３３は、図１及び図６、図７に示するように、円筒形状の支軸材本体部３３ａと、その側面には、それぞれ小さい角孔３３ｂ、３３ｂが２段に形成され、更に側面には図５に示すように凹部３３ｃが一定の角度、例えば１２０°の範囲に亘って形成されている。そして、その凹部３３ｃに対応する底壁３３ｄにも図６に記載のように底凹部３３ｅが形成されている。
【００１９】
支軸材３３の本体部３３ａの底面中心位置には軸３３ｇが設けられており、軸３３ｇは、ハウジング３１の底部３１ｄに形成する丸孔３１ｅに挿通可能とする。軸３３ｇには抜止め部３３ｈが形成されている。尚、図７〜１０は、支軸材３３の他の実施例（第２実施例）を示しており、凹部３３ｃは曲溝３３ｆが穿設されて形成されており、この曲溝３３ｆに後述の軸部材３５側の係合片３５ｅが挿入・係止される。この場合にも軸部材３５は支軸材３３に対して一定範囲で回動することになる。
【００２０】
圧縮ばね３２は、軸３３ｇの外周に装着し得るコイルばねでハウジング３１の底部３１ｄと支軸材３３の本体部３３ａとの間に配置される。各操作片３４は、薄い縦長の板状の操作部３４ａの裏面上部に係止爪３４ｂを突設してなる。係止爪３４ｂ、３４ｂは、互いに背向する一対が上下２段に配列されている。操作部３４ａの表面には凹凸面３４ｃ、３４ｃが形成されており、容易に移動操作することができるようになっている。
【００２１】
軸部材３５は、支軸材３３に当接する円筒部３５ｄ、円筒部３５ｄと一体で円筒部３５ｄの一端面に形成される左右面の傾斜部３５ｂ、傾斜部３５ｂの頂部に形成される突部３５ａ、上枠１２に設けられているレール部１２ｃに係合する凹溝（係合部）３５ｃ、及び円筒部３５ｄの他端面に付設される係合片３５ｅから構成され、ハウジング３１の円筒部内に一定範囲の角度で回転及びハウジング３１の長さ方向に摺動可能に嵌合されている。係合片３５ｅは、側面Ｌ字型に形成され、特に図１、図６に示すように支軸材３３側の凹部３３ｃ及び底凹部３３ｅに係合している。
【００２２】
折戸用ヒンジ３０は、ハウジング３１を竪框２１の先端部に装着し、圧縮ばね３２を介して軸部材３５を支軸材３３に係合片３５ｅを介して係合し、更に軸３３ｇに圧縮ばね３２を装着した後、これら集合体をハウジング３１に収納し、更に、ハウジング３１の長孔３１ｃ、３１ｃ、及び竪框２１の長孔２１ｆ、２１ｆを介して操作片３４、３４の係止爪３４ｂ、３４ｂを支軸材３３の両側面に形成されている角孔３３ｂ、３３ｂに係着することにより、一体に組み立てられている。
【００２３】
このとき、操作片３４、３４の操作部３４ａ、３４ａは竪框２１の両面に露出する。また、支軸材３３及び軸部材３５はハウジング３１に対して摺動自在に収納されており、圧縮ばね３２を介して外側、即ち枠体側に付勢されている。ただし、支軸材３３は、角孔３３ｂ、３３ｂを形成する左右の側面が係止爪３４ｂに嵌合することにより、確実な回り止めがなされている。
【００２４】
折戸２０は、折戸枠１０に対し、折戸ヒンジ３０、３０を介して装着される。このとき、各折戸用ヒンジ３０は、その軸部材３５を圧縮ばね３２に抗してハウジング３１内に没入させ、軸部材３５が係止部であるレール部１２ｃに係合した段階で折戸２０は折戸枠１０にはめ込まれる。尚、レール部１２ｃは上枠１２の開口部側の中央壁１２ｂに設けられており、この構成は下枠１３も同様である。この場合、突部３５ａの側面には傾斜部３５ｂが形成されているので係合することが容易である。尚、傾斜部３５ｂは突部３５ａ側面全体に形成して円錐形としてもよい。そして、その後においてはレール部１２ｃに沿って軸部材３５の走行が可能となり、折戸２０は開閉自在となる。この時、軸部材３５は係合部（凹溝）３５ｃが係止部（レール部）１２ｃに係合していることにより回転しないが、支軸材３３は折戸２０と共に一定角度の範囲内で回転し、折戸２０は開閉可能となる。
【００２５】
したがって、折戸２０は、折戸用ヒンジ３０、３０を介し室内側に解放することができ、閉じるときは折戸枠１０に付設する戸当りパッキング１４を介し全周を密閉することができる。そして、緊急時においては折戸２０は竪框２１の両面に露出する各操作片３４の操作部３４ａにより、圧縮ばね３２に抗して支軸材３３を軸方向に移動させ、室内側、室外側のいずれの側からも取り外すことができる。
【００２６】
各折戸用ヒンジ３０は、軸部材３５の突部３５ａに形成されている凹溝３５ｃがレール部１２ｃとの係合を外されることにより、折戸２０の支持を解放することができるからである。このとき、室内側の操作片３４は操作部３４ａが戸当りパッキング１４の内側に位置しているため、その操作には何らの支障もない。以上の説明において折戸用ヒンジ３０、３０は、その一方（例えば、上方）の軸部材３５を軸方向に摺動可能とし、他方（下方）の軸部材３５はハウジング３１に対して移動不能としてもよい。
【００２７】
折戸２０は、一般に、いずれか一方の折戸用ヒンジ３０の側を折戸枠１０から外した上、斜めに引き出すようにして折戸枠１０から取り外すことができ、このとき、他方の折戸用ヒンジ３０は操作する必要がないからである。このようにして支軸材３３及び軸部材３５を移動不能とする折戸用ヒンジ３０は、竪框２１の下側のものにすることが好ましい。上側の折戸用ヒンジ３０は、操作片３４、３４を操作し易い上、折戸２０は上側を外して斜めに取り外す方が、逆の場合よりも取り外し易いからである。
【００２８】
本発明の実施例を図面、特に図１〜６を用いて説明したが図７〜１０に示すような第２実施例を採用してもよい。この実施例は支軸材３３自体を筒状としてこの内部に軸部材３５を回転可能状態で且つ一定の深さで嵌合し、更に付設した係合片３５ｅを角状とし、これと対向して形成される支軸材３３側の底壁３３ｄの切欠き部は係合片３５ｅが遊嵌され、例えば１２０°の範囲で係合片３５ｅを回転自在とする曲がり溝３３ｆとして形成する。従って、軸部材３５は支軸材３３に対して１２０°の範囲で回転させることができ、作用的には第１実施例と同一機能が得られる。
【００２９】
折戸２０の一方側の縦框２１をレール部１２ｃ上で移動させたくないときには、図８、図９に記載の軸部材３５の突部３５ａはＵ型に形成されている。これは上枠１２側のレール部１２ｃに係合する突部３５ａを移動させないためで、折戸の移動させない側の折戸単体２０ｂ側に取り付ける。この場合にも軸部材３５に対して折戸単体２０ａ、２０ｂは回転可能であるから折戸２０としての機能が損なわれることはない。
【００３０】
【発明の効果】
本発明は、上記のように構成されているので、折戸用ヒンジにおいて、各操作片の操作部を介し、圧縮ばねに抗して軸部材を軸方向に移動操作が可能であるから、緊急時に受部材から軸部材の係合を開放して折戸を取り外すことができる。すなわち、折戸は、両側のいずれの操作片によっても取り外すことができる。又、軸部が軸部材と支軸材に二分割されているため製造しやすく、部品の交換が容易である。
【図面の簡単な説明】
【図１】本発明の実施例の折戸用ヒンジの縦断面図。
【図２】同実施例の折戸の正面図。
【図３】図２のＢ−Ｂ断面の部分（横）断面図。
【図４】同実施例の主要部の斜視図。
【図５】同実施例の主要部の分解斜視図。
【図６】同実施例の折戸用ヒンジの説明図。
【図７】本発明の第２実施例の折戸用ヒンジの分解説明図。
【図８】同第２実施例の他方の折戸用ヒンジの斜視図。
【図９】同第２実施例の折戸用ヒンジの説明図。
【図１０】同第２実施例の折戸用ヒンジにおけるハウジングの平面図。
【符号の説明】
１０・・・折戸枠
１１・・・竪枠
１２・・・上枠
１２ａ・・・戸当り壁
１２ｂ・・・中央壁
１２ｃ・・・・係止部（レール部）
１３・・・下枠
１４・・・戸当りパッキング
２０・・・折戸
２０ａ、２０ｂ・・・折戸単体
２０ｃ・・・丁番
２１・・・竪框（ヒンジ側）
２１ａ・・・外側壁
２１ｂ・・・平行壁
２１ｃ・・・支持リブ
２１ｄ・・・枠壁
２１ｅ・・・収納部
２１ｆ・・・長孔
２２・・・竪框（反ヒンジ側）
２３・・・上框
２３ａ・・・外側壁
２３ｂ・・・支持リブ
２４・・・下框
２５・・・パネル材
２６・・・補助框
２７・・・ハンドル
３０・・・折戸用ヒンジ
３１・・・ハウジング
３１ａ・・・（ハウジング）本体部
３１ｂ・・・延設片
３１ｃ・・・長孔
３１ｄ・・・底部
３１ｅ・・・丸孔
３２・・・圧縮ばね
３３・・・支軸材
３３ａ・・・（支軸材）本体部
３３ｂ・・・角孔
３３ｃ・・・凹部
３３ｄ・・・底壁
３３ｅ・・・底凹部
３３ｆ・・・曲溝（凹部）
３３ｇ・・・軸
３３ｈ・・・抜止め部
３４・・・操作片
３４ａ・・・操作部
３４ｂ・・・係止爪
３４ｃ・・・凹凸面
３５・・・軸部材
３５ａ・・・突部
３５ｂ・・・傾斜部
３５ｃ・・・凹溝（係合部）
３５ｄ・・・円筒部
３５ｅ・・・係合片
【図１】
0003587273.tif 000002
【図２】
0003587273.tif 000003
【図３】
0003587273.tif 000004
【図４】
0003587273.tif 000005
【図５】
0003587273.tif 000006
【図６】
0003587273.tif 000007
【図７】
0003587273.tif 000008
【図８】
0003587273.tif 000009
【図９】
0003587273.tif 000010
【図１０】
0003587273.tif 000011